(57)【要約】   本発明の腰トレ器具は一つの台座、一個の腰トレフープと変位抵抗力を生じるため少なくとも一個のバネが含まれる。腰トレフープをバネに連結し、利用者は力で腰トレフープを推し進める場合、変位及び反発力を生じることが可能である。腰トレフープ内側に一列の回転可能なマッサージボールがあり、体を回す場合、腰部と足はバネ力の働きにより効果的なトレーニングができると同時に、マッサージボールに接触する部分は良好なマッサージを受けられる。これらの運動とマッサージの完璧な結合は人体における相応な部位の脂肪燃焼に役に立つ。それ以外、バネ付手摺は腰部の協調運動に働きがある上、腕を良く鍛えることもできる。
2017529108.tif 000002
【特許請求の範囲】
【請求項１】
腰トレ器具であり、足場板付け台座、腰トレフープをバネにより前記の台座に連結し、腰トレフープ内側に回転可能なボールまたはローラーを取付け、且つ腰トレフープは開閉可能で、利用者の腰を当該腰トレフープの中に囲む
ことを特徴とする腰トレ器具。
【請求項２】
前記請求項１に記載する腰トレ器具において、腰トレフープと台座を連結するメインバネは垂直で台座に取り付け、且つバネの軸心と腰トレフープの中心とは重なりまたは接近する
ことを特徴とする腰トレ器具。
【請求項３】
前記請求項１に記載する腰トレ器具において、腰トレフープに回転可能なボールまたはローラーがあり、且つ腰トレフープが開閉可能である
ことを特徴とする腰トレ器具。
【請求項４】
前記請求項１に記載する腰トレ器具において、手摺ポールはバネを付けても、付けなくてもよく、台座に直接連結する
ことを特徴とする腰トレ器具。
【請求項５】
腰トレフープはフープだけにしても、数多くのマッサージボールをつけても良い
ことを特徴とする腰トレフープ。
【発明の詳細な説明】
【技術分野】
【０００１】
本発明はフィットネス器具に属し、腰腹部のトレーニングとダイエットを重点とする。利用者はフラフープを操るように、腰を大きく回して、腰トレフープを推し進めると同時に、腰トレフープにおけるマッサージボールによる按摩が受けられる。
【背景技術】
【０００２】
Simjian(アメリカ特許番号3945637)とChang（アメリカ特許番号6918856）は腰部用トレーニングとマッサージ器具を開発してみたが、実用性の欠如で流行ってなかった。伝統的なフラフープは非常に人気のあるフィットネス器具である。フラフープは腰と足を柔軟的に動くことによりフィットネスの目的を達成するが、一定的なテクニックと練習がなければフラフープの利用は難しい一方、フラフープの運動強度も相対的に小さく、腰と臀部に働きかける力は不十分である。これで、腰腹部及び臀部の脂肪を減量しようとする場合、伝統的なフラフープを利用しても、短時間で十分の運動量に達成するのは容易ではない。
【発明の概要】
【０００３】
本発明の腰トレ器具は台座、バネポールと連結する腰トレフープ、手摺ポール（バネの有無が選択可 )が含まれる。腰トレフープの円心とバネポールにあるバネ軸心とは重なる（または接近）。所用バネはコイルスプリングまたは他のバネ材料(ゴムバネなどを含む)が可能で、台座に一枚の足場板があり、バネ付手摺ポールを台座の前部に連結し、腰トレフープは連結バーにより台座の真中にバネと連結する。腰トレフープ内側に一列の自由に回転可能なボールを内蔵する。利用者の需要により腰トレフープと手摺ポールの高さが調節可能である。
【０００４】
利用者は腰部または臀部により腰トレフープを推し進め、バネ軸心における円錐曲線に沿って360度動き、または利用者自身の前後、左右などいずれかの方向に推し進めることも可能で、利用者の体は腰トレフープ内部に沿ってスライドすると同時に、体にはマッサージボールが効果的なマッサージを行い、体におけるストレス解消とマッサージ部位の脂肪消耗に役に立つ。これは主動的な運動と同期マッサージとは完璧な結合である。
【０００５】
本発明はバネ付け運動抵抗力とするフィットネス器具に関わる。自由に回転マッサージボール付腰トレフープは利用者が効率的な運動の同時に効果的なマッサージを与える。利用者は体により腰トレフープを推し進める場合、腰トレフープ下部に連結するバネは体に反力を与えると同時に、人体が腰トレフープ内側に沿う運動は腰トレフープ内部に分布するマッサージボールを効果的な働きに引起させる。この運動は腰腹部の筋を強化すると同時に周辺の脂肪燃焼を加速する。
【図面の簡単な説明】
【０００６】
下記の添付図は本発明の実施例の一に対応する。
図1    腰トレ器具側面図である。
図2    腰トレ器具透視図である。
図3    腰トレ器具俯瞰図である。
図4    腰トレフープは開ける場合の透視図である。
図5    腰トレフープにあるマッサージボール側面図である。
図6    利用者は腰トレフープを利用する場合手で手摺を持ち自然に立つ概略図である。
図7    利用者は手摺ポールを自身に引っ張る場合の概略図である。
図8    利用者は腰トレ器具を利用する場合、腹部で腰トレフープを推し進める概略図である。
【発明を実施するための形態】
【０００７】
図1より図4までは本発明の実施例である。当該実施例は台座1、腰トレフープ30、足場板5、腰トレフープバネ10、腰トレフープバネ連結バー15、手摺ポール55及び手摺ポール下部にあるバネ50が含まれる。腰トレフープバネ10の軸心と腰トレフープ30の中心とは重なり(または接近)、従って、腰トレフープを任意方向に推し進める力の強さは同じである。所用バネ10はコイルバネが可能で、他の形状または材料で製作するバネも可能であり、腰トレフープ30に十分な復位力を与える。
【０００８】
連結バー15に調節ヘッド20があり、腰トレフープ30高さの調節に用い、同時に腰トレフープ運動抵抗力の大きさも調節可能である。また、調節ヘッド35付けT形リンク25があり、腰トレフープが水平方向における前後位置の調節に用いる。手摺ポール55にも調節ヘッド45付ケーシング管があり、手摺高さの調節に用いると同時に、手摺において運動抵抗力の大きさが調節可能である。
【０００９】
腰トレフープ30内側にぴったり近づくマッサージボール70を取付ける。腰トレフープ30に可動ヒンジ80があり、とめ金75により開閉（図4に示すように）を実現することができる。図5に示すように、マッサージボール70をボールカバー65の内側に取り付け、自由に回転ができる。
【００１０】
手摺ポール55と60に高さ調節装置と調節ヘッド45があり、バネ50両側はそれぞれポール上下部と連結する。
【００１１】
図6より図8までに示すように、利用者は台座にある足場板5に立って、腰トレフープ30を閉じ、自分の腰部を腰トレフープ30にロックして、また、両手を手摺ポール55に置き、それでフラフープを利用するように、腰を各々の方向に回して腰トレフープ30を推し進める。または前後、左右の片方向に推し進めることもできる。腰トレフープ30を推し進めて原点を離れる場合、バネ10の働きにより、腰トレフープ30は人体に反力を与えると同時に、人体は腰トレフープ30の内側に沿って移動する場合、マッサージボール70の回転により摩擦抵抗力が減少すると同時に、人体に効果的なマッサージ作用を生じる。
【００１２】
異なる内径の腰トレフープ30を備え、異なる腹囲の利用者に適応する。力が異なる利用者が筋力トレ−ニング便利のため、腰トレフープ及び手摺における連結するバネ10と50には異なる強度を設ける。
【００１３】
手摺ポール55及び60を引っ張ったり、推し進めたり、横に曲がったり、回旋したりすると、利用者のアームを鍛えることができる。利用者は一台の腰トレ器具により、腰部、臀部、腹部、足と手の総合的なトレーニングが可能である。
【００１４】
本発明は少なくとも下記の何れかの実施例が含まれる。
1. 腰トレフープは一個または一個以上のバネと連結する。
2.腰トレフープはフープだけにしてもマッサージボールをつけても良い。
3.当該腰トレ器具における手摺下部にバネと連結することができ、バネと連結しなくてもよく、手摺なくても良い。
4.当該腰トレ器具には腰トレフープを付けなくても良く、手摺だけがあり、且つ手摺下部にバネと連結し、台座に固定され、アームを鍛えることに用いる。
【図１】
2017529108.tif 000003
【図２】
2017529108.tif 000004
【図３】
2017529108.tif 000005
【図４】
2017529108.tif 000006
【図５】
2017529108.tif 000007
【図６】
2017529108.tif 000008
【図７】
2017529108.tif 000009
【図８】
2017529108.tif 000010
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
腰トレ器具であり、足場板付け台座、腰トレフープをバネにより前記の台座に連結し、腰トレフープ内側に回転可能なボールまたはローラーを取付け、且つ腰トレフープは開閉可能で、利用者の腰を当該腰トレフープの中に囲む
ことを特徴とする腰トレ器具。
【請求項２】
前記請求項１に記載する腰トレ器具において、腰トレフープと台座を連結するメインバネは垂直で台座に取り付け、且つバネの軸心と腰トレフープの中心とは重なりまたは接近する
ことを特徴とする腰トレ器具。
【請求項３】
前記請求項１に記載する腰トレ器具において、腰トレフープに回転可能なボールまたはローラーがあり、且つ腰トレフープが開閉可能である
ことを特徴とする腰トレ器具。
【請求項４】
前記請求項１に記載する腰トレ器具において、手摺ポールはバネを付けても、付けなくてもよく、台座に直接連結する
ことを特徴とする腰トレ器具。
【国際調査報告】
2017529108.tif 000011